(57)【要約】【課題】搬送路に貨幣の識別部を有しない貨幣処理装置において、装置外へ出金せずにカセットに収納された貨幣の金種を適切に確認することにある。【解決手段】貨幣を収納するカセットが着脱可能な装置本体と、前記装置本体に装着された前記カセットに収納された貨幣を搬送する搬送路と、前記搬送路により搬送された前記貨幣を収容する収容部と、前記収容部内に設けられ、前記収容部に搬送された貨幣の金種を判別する判別部と、を備える、貨幣処理装置。【選択図】図２
2014182431.tif 000002
【特許請求の範囲】
【請求項１】
貨幣を収納するカセットが着脱可能な装置本体と、
前記装置本体に装着された前記カセットに収納された貨幣を搬送する搬送路と、
前記搬送路により搬送された前記貨幣を収容する収容部と、
前記収容部内に設けられ、前記収容部に搬送された貨幣の金種を判別する判別部と、
を備える、貨幣処理装置。
【請求項２】
請求項１に記載の貨幣処理装置において、
前記収容部は、出金口であり、
前記出金口を閉塞又は開放するシャッター部材を更に備え、
前記判別部は、前記シャッター部材が前記出金口を閉塞した状態で、前記出金口に搬送された貨幣の金種を判別する、貨幣処理装置。
【請求項３】
請求項１又は２に記載の貨幣処理装置において、
前記判別部は、前記貨幣の重量を検出する重量センサを有し、検出した重量に基づき前記貨幣の金種を判別する、貨幣処理装置。
【請求項４】
請求項３に記載の貨幣処理装置において、
前記貨幣の金種別に重量を記憶する記憶部を更に備え、
前記判別部は、検出した重量と、前記記憶部に記憶された重量とを比較して、前記収容部に搬送された貨幣の金種を判別する、貨幣処理装置。
【請求項５】
請求項４に記載の貨幣処理装置において、
前記貨幣処理装置を制御する制御部を更に備え、
前記制御部は、前記判別部が検出した重量が前記記憶部に記憶された重量と一致しない場合には、前記貨幣処理装置の処理を中止する、貨幣処理装置。
【請求項６】
請求項１〜５のいずれか１項に記載の貨幣処理装置において、
前記判別部による判別後に、前記収容部の貨幣を格納する格納部を更に備える、貨幣処理装置。
【請求項７】
請求項１〜５のいずれか１項に記載の貨幣処理装置において、
前記判別部による判別後に、前記収容部の貨幣を、当該貨幣を繰り出した前記カセットに搬送して収納する、貨幣処理装置。
【請求項８】
請求項１〜７のいずれか１項に記載の貨幣処理装置において、
前記装置本体には、それぞれ異なる金種の貨幣を収納する複数のカセットが装着可能であり、
前記判別部は、各カセットから前記収容部に搬送された貨幣の金種を順次判別する、貨幣処理装置。
【請求項９】
請求項８に記載の貨幣処理装置において、
前記判別部は、前記複数のカセットのうちの一のカセットから前記収容部に搬送された貨幣の金種に異常が検出されても、その後継続して他のカセットから前記収容部に搬送される貨幣の金種の判別を行う、貨幣処理装置。
【請求項１０】
請求項９に記載の貨幣処理装置において、
前記複数のカセットの装着位置と前記貨幣の金種とを予め設定する設定部を更に備え、
前記設定部は、前記判別部による判別結果に応じて、前記装置本体に実際に装着された各カセットの装着位置と貨幣の金種とを再設定する、貨幣処理装置。
【発明の詳細な説明】
【技術分野】
【０００１】
本発明は、貨幣を収納するカセットが着脱可能な貨幣処理装置に関する。
【背景技術】
【０００２】
貨幣処理装置として、例えばコンビニエンスストアに設置される現金処理装置がある。かかる貨幣処理装置は、装置内部の着脱可能なカセットに収容された貨幣を出金口へ搬送する出金処理等を行う。
【０００３】
下記の特許文献１では、出金処理の際に、搬送路に設けられた識別部により、カセットから繰り出された貨幣が識別され、識別結果に基づいて出金口へ貨幣が搬送される。この際、識別部は、出金指示された出金枚数や金種であるか否かを識別する。
【先行技術文献】
【特許文献】
【０００４】
【特許文献１】特開２０００−３０１１２号公報
【発明の概要】
【発明が解決しようとする課題】
【０００５】
ところで、近年、コンビニエンスストア等の狭い空間に貨幣処理装置を設置するために、貨幣処理装置の小型化・簡素化が要求されている。このため、貨幣処理装置の中には、上述した識別部が設けられていないものがある。
【０００６】
かかる貨幣処理装置の場合には、予め貨幣が収納されたカセットが貨幣処理装置に装着されることで、貨幣処理装置に貨幣が補充された際に、カセット内の貨幣の金種を確認することができない。もちろん、貨幣を補充した保守員の操作により装置外へ貨幣を出金すれば貨幣の金種を識別できる。しかしながら、この場合に出金した貨幣の取り扱いは保守員の手により行なわれるため、セキュリティの観点から好ましくない。
【０００７】
そこで、本発明は、上記問題に鑑みてなされたものであり、本発明の目的とするところは、搬送路に貨幣の識別部を有しない貨幣処理装置において、装置外へ出金せずにカセットに収納された貨幣の金種を適切に確認することにある。
【課題を解決するための手段】
【０００８】
上記課題を解決するために、本発明のある観点によれば、貨幣を収納するカセットが着脱可能な装置本体と、前記装置本体に装着された前記カセットに収納された貨幣を搬送する搬送路と、前記搬送路により搬送された前記貨幣を収容する収容部と、前記収容部内に設けられ、前記収容部に搬送された貨幣の金種を判別する判別部と、を備える、貨幣処理装置が提供される。
【０００９】
かかる貨幣処理装置によれば、収容部内に設けられた判別部が、新たなカセットが装置本体に装着された際に、カセットからの収容部に搬送された貨幣の金種を判別する。これにより、搬送路に識別部を有しない貨幣処理装置において、貨幣を装置外へ出金させなくてもカセットに正しい金種の貨幣が補充されているかを確認できる。
【００１０】
また、上記の貨幣処理装置において、前記収容部は、出金口であり、前記出金口を閉塞又は開放するシャッター部材を更に備え、前記判別部は、前記シャッター部材が前記出金口を閉塞した状態で、前記出金口に搬送された貨幣の金種を判別しても良い。
【００１１】
また、上記の貨幣処理装置において、前記判別部は、前記貨幣の重量を検出する重量センサを有し、検出した重量に基づき前記貨幣の金種を判別しても良い。
【００１２】
また、上記の貨幣処理装置において、前記貨幣の金種別に重量を記憶する記憶部を更に備え、前記判別部は、検出した重量と、前記記憶部に記憶された重量とを比較して、前記収容部に搬送された貨幣の金種を判別しても良い。
【００１３】
また、上記の貨幣処理装置において、前記貨幣処理装置を制御する制御部を更に備え、前記制御部は、前記判別部が検出した重量が前記記憶部に記憶された重量と一致しない場合には、前記貨幣処理装置の処理を中止しても良い。
【００１４】
また、上記の貨幣処理装置において、前記判別部による判別後に、前記収容部の貨幣を格納する格納部を更に備えても良い。
【００１５】
また、上記の貨幣処理装置において、前記判別部による判別後に、前記収容部の貨幣を、当該貨幣を繰り出した前記カセットに搬送して収納しても良い。
【００１６】
また、上記の貨幣処理装置において、前記装置本体には、それぞれ異なる金種の貨幣を収納する複数のカセットが装着可能であり、前記判別部は、各カセットから前記収容部に搬送された貨幣の金種を順次判別しても良い。
【００１７】
また、上記の貨幣処理装置において、前記判別部は、前記複数のカセットのうちの一のカセットから前記収容部に搬送された貨幣の金種に異常が検出されても、その後継続して他のカセットから前記収容部に搬送される貨幣の金種の判別を行っても良い。
【００１８】
また、上記の貨幣処理装置において、前記複数のカセットの装着位置と前記貨幣の金種とを予め設定する設定部を更に備え、前記設定部は、前記判別部による判別結果に応じて、前記装置本体に実際に装着された各カセットの装着位置と貨幣の金種とを再設定しても良い。
【発明の効果】
【００１９】
以上説明したように本発明によれば、搬送路に貨幣の判別部を有しない貨幣処理装置において、装置外へ出金せずにカセットに収納された貨幣の金種を適切に確認することが可能となる。
【図面の簡単な説明】
【００２０】
【図１】第１の実施形態に係る貨幣取引システム１の構成の一例を示す図である。
【図２】貨幣処理装置１０の内部構成の一例を示す図である。
【図３】紙幣出金ユニット２４の内部構成の一例を示す図である。
【図４】補充カセット１０２の構成の一例を示す図である。
【図５】出金部１２２の構成の一例を示す図である。
【図６】第１の実施形態に係る金種判別処理を説明するためのフローチャートである。
【図７】第２の実施形態に係る貨幣処理装置２００の構成を示す図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
（１−１．貨幣取引システムの概要）
図１を参照しながら、第１の実施形態に係る貨幣取引システム１の概要について説明する。図１は、第１の実施形態に係る貨幣取引システム１の構成の一例を示す図である。図１に示すように、貨幣取引システム１は、貨幣処理装置１０と、専用網３０と、金融機関ホスト４０と、を有する。
【００２３】
貨幣処理装置１０は、顧客による操作に基づいて貨幣（紙幣や硬貨）の取引を実行する顧客操作型端末である。貨幣処理装置１０は、例えば、コンビニエンスストア、駅構内、ホテル、病院、アミューズメントパーク、飲食店、オフィスビルディングなどの多様な施設に設置される現金処理装置である。
【００２４】
貨幣処理装置１０は、図１に示すように、装置本体１２と、操作表示部１３と、カード読取部１４と、印字部１５と、テンキー部１６と、硬貨出金口１７と、紙幣出金口１８と、を備える。
【００２５】
装置本体１２と、貨幣処理装置１０の筐体である。操作表示部１３、カード読取部１４、印字部１５、テンキー部１６、硬貨出金口１７、及び紙幣出金口１８は、装置本体１２の前面側に設けられている。装置本体１２の内部には、硬貨を出金する硬貨出金ユニット２２と、紙幣を出金する紙幣出金ユニット２４とが設けられている。硬貨出金ユニット２２と紙幣出金ユニット２４の詳細については、後述する。
【００２６】
操作表示部１３は、顧客による操作の誘導画面を表示する表示部および顧客操作を検出する操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。
【００２７】
カード読取部１４は、顧客情報などが記録された取引カード（例えばキャッシュカード）を受け入れ又は排出するスリット状の挿入部を有し、挿入された取引カードのデータを読み取る機能を有する。印字部１５は、取引後の明細書（例えばレシート）などを印字し、排出する機能を有する。テンキー部１６は、数字０〜９等に対応したキーを有し、顧客による入力操作を受け付ける。
【００２８】
硬貨出金口１７は、顧客への硬貨の出金口としての機能を有する。紙幣出金口１８は、顧客への紙幣の出金口としての機能を有する。なお、これら出金口は、例えば顧客から硬貨や紙幣の投入を受け付けるための入金口としての機能を持たせても良い。装置本体１２内において、硬貨出金ユニット２２は硬貨出金口１７の下方に、紙幣出金ユニット２４は紙幣出金口１８の下方に、それぞれ設けられている。出金処理の際に、硬貨出金ユニット２２が硬貨を硬貨出金口１７に搬送し、紙幣出金ユニット２４が紙幣を紙幣出金口１８に搬送する。
【００２９】
専用網３０は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト４０は、専用網３０を介して貨幣処理装置１０と通信することができる。
【００３０】
金融機関ホスト４０は、専用網３０を介して貨幣処理装置１０と通信することにより、各種取引を制御する。例えば、金融機関ホスト４０は、貨幣処理装置１０を操作する顧客の認証を行ったり、貨幣処理装置１０において顧客により指示された出金等の金銭取引（勘定の取引処理）を実行したりする。また、金融機関ホスト４０は、口座番号、暗証番号、氏名、住所、年齢、生年月日、電話番号、職業、家族構成、年収、預金残高などの顧客情報（口座の元帳）を管理する。なお、金融機関ホスト４０は、貨幣処理装置１０を遠隔保守するセンタの機能を有しても良い。
【００３１】
（１−２．出金ユニットの構成）
図２は、貨幣処理装置１０の内部構成の一例を示す図である。貨幣処理装置１０の装置本体１２内の下方には、装置本体１２に対して移動可能な硬貨出金ユニット２２と紙幣出金ユニット２４が設けられている。硬貨出金ユニット２２と紙幣出金ユニット２４の構成は同様であるため、以下においては、紙幣出金ユニット２４を例に挙げて出金ユニットの詳細構成について説明する。
【００３２】
図３は、紙幣出金ユニット２４の内部構成の一例を示す図である。紙幣出金ユニット２４は、図３に示すように、補充カセット１０２と、搬送部１１２と、出金部１２２と、を有する。なお、紙幣出金ユニット２４は、補充カセット１０２を交換等する際に、装置本体１２に対して前方又は後方へ移動する。
【００３３】
（補充カセット１０２）
補充カセット１０２は、出金される紙幣（貨幣）を金種別に収納するカセットである。補充カセット１０２は、装置本体１２（具体的には、紙幣出金ユニット２４）に対して着脱可能である。このため、新たな補充カセット１０２を紙幣出金ユニット２４に装填する（補充カセット１０２を交換する）ことで、紙幣が補充されることになる。
【００３４】
図４は、補充カセット１０２の構成の一例を示す図である。補充カセット１０２は、図４に示すように、ホッパ１０４ａ〜１０４ｄと、搬送路１０５と、格納部の一例である取込庫１０６と、取込庫シャッター１０７と、を有する。
【００３５】
ホッパ１０４ａ〜１０４ｄは、それぞれ内部に空間を有し、金種別に紙幣を収納する。また、ホッパ１０４ａ〜１０４ｄは、出金処理の際に、収納した紙幣を繰り出す機能を有する。なお、ホッパ１０４ａ〜１０４ｄの少なくとも二つ以上が、同一金種の紙幣を収納しても良い。
【００３６】
搬送路１０５は、ホッパ１０４ａ〜１０４ｄから繰り出された紙幣を搬送部１１２に案内する。なお、紙幣は、補充カセット１０２の下部に設けられた穴から搬送部１１２に落下するように構成されている。
【００３７】
取込庫１０６は、顧客が出金部１２２に出金された紙幣を取り忘れた際に、紙幣を取り込んで格納する機能を有する。また、後述するように、出金部１２２において金種判別処理後の紙幣も、取込庫１０６に取り込まれて格納される。
【００３８】
取込庫シャッター１０７は、取込庫１０６の上方に設けられた開閉可能なシャッターである。取込庫シャッター１０７は、補充カセット１０２が紙幣出金ユニット２４に装着された際に、開くように構成されている。
【００３９】
ここで、補充カセット１０２による紙幣の補充の流れについて説明する。まず、金融機関において、行員等が補充カセット１０２の金種別のホッパ１０４ａ〜１０４ｄに紙幣をそれぞれ収納する。その後、運搬人が、紙幣が収納された補充カセット１０２を貨幣処理装置１０が設置された場所に運搬し、紙幣出金ユニット２４に装填する。なお、セキュリティ上、補充カセット１０２は、中身を外から確認できないように密封され、かつ運搬途中で紙幣が抜き取られないように施錠がされている。
【００４０】
（搬送部１１２）
搬送部１１２は、補充カセット１０２のホッパ１０４ａ〜１０４ｄから繰り出された紙幣を出金部１２２へ搬送する。搬送部１１２は、紙幣を搬送する搬送部材として、搬送ローラや搬送ベルト等を有する。なお、本実施形態に係る紙幣出金ユニット２４は、装置の小型化・簡素化等の観点から、搬送部１１２の搬送路上に紙幣を識別する識別部（例えば、光学センサ）を有しない。
【００４１】
（出金部１２２）
出金部１２２は、紙幣出金ユニット２４の上方に位置し、前述した紙幣出金口１８を含む。出金部１２２には、出金処理の際に、ホッパ１０４ａ〜１０４ｄに収納された紙幣が搬送される。また、出金部１２２（具体的には、紙幣出金口１８）は、補充カセット１０２が装置本体１２に装着された際に、補充カセット１０２に収納された紙幣の金種判別処理のために紙幣が搬送される搬送収容部でもある。
【００４２】
図５は、出金部１２２の構成の一例を示す図である。出金部１２２は、図５に示すように、紙幣出金口１８と、受皿１２４と、シャッター１２５と、取込蓋１２６と、判別部の一例である重量センサ１２７と、を有する。
【００４３】
受皿１２４は、出金部１２２の底部に設けられており、搬送部１１２により搬送された紙幣Ｓが集積される。顧客は、例えば出金処理により受皿１２４に集積された紙幣Ｓを受け取る。
【００４４】
シャッター１２５は、開閉可能なシャッター部材であり、紙幣出金口１８を閉塞又は開放する。シャッター１２５は、顧客が受皿１２４に載置された紙幣を受け取る時以外は、閉じている。
【００４５】
取込蓋１２６は、顧客が紙幣を取り忘れた際に、受皿１２４上の紙幣Ｓを補充カセット１０２の取込庫１０６に取り込むためのものである。取込蓋１２６は、受皿１２４の下に回動可能に設けられており、回動することで紙幣を取込庫１０６（図３参照）に落下させて取り込む。
【００４６】
重量センサ１２７は、受皿１２４に積層された紙幣の重量を検出する機能を有する。本実施形態において、重量センサ１２７は受皿１２４に設けられているので、重量センサ１２７が検出した重量は紙幣の重量に相当する。なお、重量センサ１２７は、紙幣の集積量による荷重の変位を電気信号に変換するロードセルであっても良い。
【００４７】
（１−３．補充カセット１０２の貨幣の金種判別）
ところで、補充カセット１０２による紙幣の補充の流れで説明したように、運搬前に補充カセット１０２のホッパ１０４ａ〜１０４ｄに貨幣を補充した後は、中身を目視で確認することができない。そして、搬送部１１２の搬送路に貨幣を識別する識別部を設けない場合には、ホッパ１０４ａ〜１０４ｄに誤った金種の貨幣が補充されても、顧客に出金されるまで誤りが発見されないことになる。
【００４８】
この誤りを早期発見するために、補充カセット１０２を運搬する保守員が、補充カセット１０２を装填した直後に出金取引をすることで確認することは可能ではある。しかし、出金した貨幣を回収・保持・運搬する必要が生じ、セキュリティ面において問題となる。
【００４９】
そこで、本実施形態においては、補充カセット１０２が装置本体１２に装着された際に、補充カセット１０２から受皿１２４に搬送された紙幣の金種を判別する判別部を、出金部１２２に設けている。具体的には、重量センサ１２７が、補充カセット１０２が装置本体１２に装着された際に、補充カセット１０２から受皿１２４に搬送された紙幣の重量を検出し、検出した重量に基づき紙幣の金種を判別する。これにより、搬送路に紙幣を識別する識別部が設けられなくても、装填された補充カセット１０２の紙幣の金種を判別することができる。
【００５０】
重量センサ１２７は、シャッター１２５により紙幣出金口１８を閉塞した状態で、紙幣出金口１８に搬送された紙幣の金種を判別する。これにより、紙幣出金口１８から紙幣が抜かれることを防止できるので、セキュリティを確保できる。また、重量センサ１２７による金種判別後に、紙幣出金口１８の紙幣は、取込蓋１２６の回動に伴い取込庫１０６に落下して格納される。これにより、補充カセット１０２の他のホッパの紙幣を紙幣出金口１８に搬送して、金種を判別できる。
【００５１】
上述した紙幣（貨幣）の金種の判別処理を実行すべく、貨幣処理装置１０は、図２に示すように制御部１３２と記憶部１３４を有する。
【００５２】
制御部１３２は、貨幣処理装置１０の全体動作を制御する。制御部１３２は、新たな補充カセット１０２が装置本体１２に装填された際に、重量センサ１２７によって補充カセット１０２のホッパ１０４ａ〜１０４ｄに収納された紙幣の金種を判別する金種判別処理を実行する。
【００５３】
記憶部１３４は、制御部１３２が実行するプログラムや各種データを記憶する。例えば、記憶部１３４は、貨幣の金種別（例えば、１０００円、５０００円、１００００円）に重量を予め記憶している。
【００５４】
重量センサ１２７は、紙幣出金口１８において検出された紙幣の重量（以下、検出重量とも呼ぶ）と、記憶部１３４に記憶された紙幣の重量（以下、設定重量とも呼ぶ）とを比較して、紙幣の金種を判別する。重量センサ１２７は、検出重量が記憶部１３４に記憶された複数の設定重量のうちのいずれかと同じである場合には、重量を検出した紙幣の金種を特定できる。
【００５５】
また、制御部１３２は、重量センサ１２７が検出した検出重量が記憶部１３４に記憶された設定重量と一致しない場合には、貨幣が正しく補充されていないと判断し、貨幣処理装置１０の処理を中止する。これにより、誤った金種の貨幣が出金されることを防止できる。
【００５６】
（１−４．金種判別処理）
図６を参照しながら、新たな補充カセット１０２が装置本体１２に装填された際の、貨幣（ここでは、紙幣を例に挙げて説明する）の金種判別処理について説明する。金種判別処理は、制御部１３２が記憶部１３４に記憶されたプログラムを実行することで、下記に説明する動作を実行する。
【００５７】
図６は、第１の実施形態に係る金種判別処理を説明するためのフローチャートである。図６のフローチャートは、金融機関にてホッパ１０４ａ〜１０４ｄに紙幣が収納された補充カセット１０２を、運搬人が貨幣処理装置１０に装填したところから開始される（ステップＳ１０２）。
【００５８】
次に、制御部１３２は、ホッパ１０４ａ〜１０４ｄのうちの一のホッパ（ここでは、ホッパ１０４ａ）から紙幣を１枚繰り出す（ステップＳ１０４）。そして、制御部１３２は、搬送部１１２により繰り出した紙幣を出金部１２２へ搬送する（ステップＳ１０６）。搬送された紙幣は、出金部１２２の受皿１２４上に位置する。この際、シャッター１２５は閉じたままである。
【００５９】
次に、制御部１３２は、重量センサ１２７により受皿１２４上の紙幣の重量を検出する（ステップＳ１０８）。次に、制御部１３２は、検出結果の重量と、記憶部１３４に記憶された紙幣の重量（予め設定された重量）とを比較する（ステップＳ１１０）。そして、ステップＳ１１０で２つの重量が一致しない場合には（Ｎｏ）、制御部１３２は、ホッパ１０４ａに誤った金種の紙幣が補充されたと判断し、取引中止状態へ移行する（ステップＳ１１２）。また、制御部１３２は、遠隔保守を行なっているセンタ（例えば、金融機関ホスト４０）へ異常状態を通知する。
【００６０】
一方で、ステップＳ１１０で２つの重量が一致する場合には（Ｙｅｓ）、制御部１３２は、ホッパ１０４ａに正しい金種の紙幣が補充されたと判断し、取込蓋１２６を回動させて紙幣を取込庫１０６に落下させて格納する（ステップＳ１１４）。そして、制御部１３２は、取込蓋１２６の元の位置に回動させる。なお、２つの重量が完全に一致しない場合でも、差が所定値以内であれば一致しているものと見なしても良い。
【００６１】
その後、制御部１３２は、他のホッパ１０４ｂ〜１０４ｄに収納された紙幣についても、上述した処理を行う（ステップＳ１１６：Ｎｏ、Ｓ１０４〜Ｓ１１４）。一方で、全てのホッパ１０４ａ〜１０４ｄの紙幣の金種が判別した場合には（ステップＳ１１６：Ｙｅｓ）、制御部１３２は、補充カセット１０２内の紙幣が正しく補充されていると判断し、本処理を終了する。
【００６２】
上述した第１の実施形態によれば、出金部１２２内に設けた重量センサ１２７により、補充カセット１０２の装填時にホッパ１０４ａ〜１０４ｄから出金部１２２に搬送された貨幣の重量を検出する。そして、貨幣の検出重量と、記憶部１３４に記憶された貨幣の設定重量とを比較して、貨幣の金種を判別する。これにより、外から目視で確認できないホッパ１０４ａ〜１０４ｄ内に貨幣の金種が正しく補充されたか否かを確認できる。
【００６３】
なお、上記では、出金部に設けた判別部として重量センサ１２７を例に挙げて説明したが、これに限定されず、紙幣の金種を判別できる部材であれば、他の部材を設けても良い。
【００６４】
＜２．第２の実施形態＞
図７を参照しながら、第２の実施形態に係る貨幣処理装置２００について説明する。図７は、第２の実施形態に係る貨幣処理装置２００の構成を示す図である。
【００６５】
第１の実施形態では、一つの補充カセット１０２が貨幣処理装置１０に装填されることとしたが、第２の実施形態では、図７に示すように、複数の補充カセット２０２ａ〜２０２ｃが貨幣処理装置２００に装填される。このため、貨幣処理装置２００は、大容量の貨幣を処理可能である。
【００６６】
また、第１の実施形態では、一つの補充カセット１０２のホッパ１０４ａ〜１０４ｄに金種別に貨幣を収納することとした。これに対して、第２の実施形態では、３つの補充カセット２０２ａ〜２０２ｃの各々には、１種類の貨幣のみが収納されている。例えば、補充カセット２０２ａのホッパ（例えば、４つのホッパ）には、１０００円紙幣のみが収納され、補充カセット２０２ｂのホッパには、５０００円紙幣のみが収納され、補充カセット２０２ｃのホッパには、１００００円紙幣のみが収納される。３つの補充カセット２０２ａ〜２０２ｃは、カセットトレイ２０４に１列に配置され、同時に装填できるように構成されている。また、各補充カセット２０２ａ〜２０２ｃには、それぞれ取込庫２０６ａ〜２０６ｃが設けられ、金種を判別した貨幣を取り込むことが可能となっている。
【００６７】
貨幣処理装置２００は、第１の実施形態と同様に、搬送部２１２及び出金部２２２を有する。搬送部２１２は、３つの補充カセット２０２ａ〜２０２ｃに接続された搬送路を有し、補充カセット２０２ａ〜２０２ｃの貨幣を出金部２２２に搬送する。なお、搬送路には、貨幣を識別する識別部は設けられていない。出金部２２２は、第１の実施形態と同様に、受皿２２４と、シャッター２２５と、取込蓋２２６と、重量センサ２２７と、を有する。
【００６８】
第２の実施形態でも、補充カセット２０２ａ〜２０２ｃが貨幣処理装置２００に装填された際に、重量センサ２２７により補充カセット２０２ａ〜２０２ｃの各ホッパに収納された紙幣の重量を順次検出することで、紙幣の金種を判別する。これにより、第１の実施形態と同様に、搬送路に識別部を設けない貨幣処理装置２００において、貨幣を装置外へ出金しなくても、各補充カセット２０２ａ〜２０２ｃのホッパに貨幣が正しく補充されたかを確認できる。
【００６９】
ここで、第２の実施形態に係る貨幣（ここでは、紙幣）の金種判別処理について説明する。紙幣が収納された補充カセット２０２ａ〜２０２ｃを搭載したカセットトレイ２０４が貨幣処理装置２００に押し込まれると、金種判別処理が開始される。一の補充カセット（例えば、補充カセット２０２ａ）のホッパから１枚の紙幣が出金部２２２に搬送され、重量センサ２２７により重量が検出される。この際、シャッター２２５は閉じたままである。
【００７０】
そして、検出重量と、予め設定した設定重量が一致するかを比較し、正しく補充されているかを確認する。正しければ、次の紙幣を出金部２２２に搬送する前に取り込み庫シャッターを開けて紙幣を取り込んでから、次の紙幣を搬送する。このようにして順次他のホッパの紙幣についても重量を検出する。その後、他の補充カセット２０２ｂ、２０２ｃについても同様に処理を行い、全ての紙幣の金種が正しければ、通常の運用状態へと移行する。
【００７１】
一方で、貨幣の検出重量と設定重量が一致しない（異常が検出された）場合でも、第１の実施形態とは異なり、取り込み庫シャッターを開けて紙幣を取り込んでから、次の紙幣を搬送し、他の補充カセット２０２ｂ、２０２ｃの貨幣の重量を検出する。そして、全ての補充カセット２０２ａ〜２０２ｃの貨幣の検出完了後、取引中止状態へ移行する。ここで、金種が異なる補充カセットが１組有る場合には、補充カセットの装填順番のミスと判断し、その旨をセンタ（例えば、図１の金融機関ホスト４０）へ通知する。
【００７２】
複数の補充カセット２０２ａ〜２０２ｃを装填する場合には、装填順番を誤る場合がある。これに対して、第２の実施形態によれば、重量センサ２２７により各補充カセット２０２ａ〜２０２ｃの貨幣の金種を判別することにより、補充カセット２０２ａ〜２０２ｃが正しい順番で装填されているかを確認できる。
【００７３】
なお、貨幣の検出重量と設定重量が一致せず、取引を中止する場合には、貨幣処理装置１０は、操作表示部１３（図１）の画面に例えば「準備中」等のメッセージを表示させても良い。
【００７４】
また、貨幣処理装置２００は、貨幣の検出重量と設定重量が一致しない場合には、一致しない補充カセットに関する情報を操作表示部１３に表示させても良い。かかる場合に、運搬人は、操作表示部１３の表示を見て、金種が誤っている貨幣を収納する補充カセットを、予備の補充カセットと交換しても良い。
【００７５】
また、貨幣処理装置２００は、貨幣の検出重量と設定重量が一致しない場合には、一致しない補充カセットに関する情報を、印字部１５によりレシートに印字して出力させても良い。かかる場合に、運搬人は、出力したレシートを補充カセットに貼り付けて回収することで、金融機関における作業を円滑に進めることが可能となる。
【００７６】
＜第３の実施形態＞
上述した第１、第２の実施形態では、重量センサ１２７の検出重量と記憶部１３４の設定重量とが一致しない場合には、制御部１３２は、取引中止状態へ移行し、遠隔保守を行なっているセンタへ異常状態を通知することとした。
【００７７】
これに対して、第３の実施形態では、第２の実施形態で説明したように補充カセット２０２ａ〜２０２ｃの装填順番の誤りを検出した場合には、制御部１３２は、装填されている補充カセットの装填順番と金種との対応関係を再設定する。
【００７８】
もともと、制御部１３２は、補充カセット２０２ａ〜２０２ｃが正しい順番で装填された場合の、各補充カセット２０２ａ〜２０２ｃの位置と、カセットに収納されている紙幣との関係とを予め設定している。そして、重量センサ１２７により補充カセット２０２ａ〜２０２ｃの装填順番の誤りが検出された場合には、制御部１３２は、重量センサ１２７による判別結果に応じて、装置本体１２に実際に装着された補充カセット２０２ａ〜２０２ｃの装填位置（装填順番）と貨幣の金種との対応関係を再設定する。
【００７９】
これにより、保守員等が、補充カセット２０２ａ〜２０２ｃの順番をわざわざ直すことなく、再設定された状態で貨幣処理装置１０の運用を継続することができる。このため、貨幣処理装置１０の取引を中止することを防止できる。
【００８０】
（変形例）
なお、上記では、貨幣処理装置としてコンビニエンスストア等に設置される現金処理装置を例に挙げて説明したが、これに限定されない。例えば、貨幣処理装置は、金融機関に設けられたＡＴＭ（Ａｕｔｏｍａｔｅｄ  ｔｅｌｌｅｒ  ｍａｃｈｉｎｅ）である自動取引装置であっても良い。
【００８１】
また、上記では、出金部１２２で金種が判別された貨幣が取込庫１０６に落下して格納されることとしたが、これに限定されない。例えば、金種が判別された貨幣が、補充カセット１０２（ホッパ１０４ａ〜１０４ｄ）に搬送されて収納されても良い。これにより、出金されない紙幣が発生することを抑制できる。
【００８２】
また、上記では、補充カセットが装置本体に装着された際に補充カセットの貨幣の金種判別処理のために貨幣が搬送される搬送収容部が出金部１２２であることとしたが、これに限定されない。例えば、搬送収容部は、装置本体１２の搬送路において貨幣を一時的に保持する一時保留部であっても良い。かかる場合に、一時保留部に重量センサを設けることで、貨幣を出金しなくて補充カセットに補充された貨幣の金種を判別できる。
【００８３】
また、上記では、出金部１２２のシャッター１２５が移動することにより紙幣出金口１８を開放又は閉塞することとしたが、これに限定されない。例えば、紙幣出金口が形成された円筒状の出金ドラムを回動させて、紙幣出金口を開閉することとしても良い。かかる場合には、シャッターが不要となる。
【００８４】
また、上記では、貨幣として紙幣に適用した場合における例を説明したが、これに限定されず、硬貨に適用しても良い。
【００８５】
また、上記の実施形態のフローチャートに示されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００８６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８７】
１０    貨幣処理装置
１２    装置本体
２２    硬貨出金ユニット
２４    紙幣出金ユニット
１０２    補充カセット
１０４ａ〜１０４ｄ    ホッパ
１０６    取込庫
１１２    搬送部
１２２    出金部
１２４    受皿
１２５    シャッター
１２６    取込蓋
１２７    重量センサ
１３２    制御部
１３４    記憶部
【図１】
2014182431.tif 000003
【図２】
2014182431.tif 000004
【図３】
2014182431.tif 000005
【図４】
2014182431.tif 000006
【図５】
2014182431.tif 000007
【図６】
2014182431.tif 000008
【図７】
2014182431.tif 000009